(57)【要約】【課題】ハウジングから電線カバーが外れるのを防止する。【解決手段】コネクタ１０は、電線５００が引き出される電線引出面２７及びその電線引出面２７と交差して配される外周面２８を有するハウジング２０と、ハウジング２０に取り付けられ、電線５００を内側に配しつつハウジング２０の電線引出面２７を覆うように配されるカバー本体部６１を有するとともに、そのカバー本体部６１と一体に連なり、ハウジング２０の外周面２８を覆うように嵌合されてその嵌合方向の軸線まわりに回転するのを規制された状態に保たれる嵌合筒部６３を有する、電線カバー６０とを備える。【選択図】図１
2015088273.tif 000002
【特許請求の範囲】
【請求項１】
電線が引き出される電線引出面及びその電線引出面と交差して配される外周面を有するハウジングと、
前記ハウジングに取り付けられ、前記電線を内側に配しつつ前記ハウジングの前記電線引出面を覆うように配されるカバー本体部を有するとともに、そのカバー本体部に一体に連なり、前記ハウジングの前記外周面を覆うように嵌合されてその嵌合方向の軸線まわりに回転するのを規制された状態に保たれる嵌合筒部を有する、電線カバーとを備えることを特徴とするコネクタ。
【請求項２】
前記嵌合筒部は、前記ハウジングにおいて前記電線引出面とは反対側に位置して相手ハウジングとの嵌合時に対面する嵌合面の外周側に引っ掛け係止されるカバーロック部を有していることを特徴とする請求項１記載のコネクタ。
【請求項３】
前記カバー本体部は、四角部分が外側へ出っ張った正面視形状をなし、前記カバーロック部は、前記カバー本体部の四角部分と対向する位置に配置されていることを特徴とする請求項１又は２記載のコネクタ。
【請求項４】
前記ハウジングは、前記相手ハウジングに対してボルト締めによって嵌合されることを特徴とする請求項１ないし３のいずれか１項記載のコネクタ。
【発明の詳細な説明】
【技術分野】
【０００１】
本発明は、コネクタに関する。
【背景技術】
【０００２】
特許文献１に記載のコネクタは、電線が引き出される電線引出面（電線導出面）を有するハウジングと、ハウジングの電線引出面を覆うようにハウジングに取り付けられる電線カバーとを備えている。電線カバーは、キャップ状をなし、その開口縁にはカバーロック部が設けられている。また、ハウジングの電線引出面の外周縁にはハウジングロック部が設けられている。電線カバーがハウジングに取り付けられると、電線カバーの外周開口縁がハウジングの電線引出面の外周縁に当接した状態で、カバーロック部がハウジングロック部に弾性的に係止させられ、これにより、電線カバーがハウジングに抜け止め状態に保持されるようになっている。
【先行技術文献】
【特許文献】
【０００３】
【特許文献１】特開２０１３−１２２９００号公報
【発明の概要】
【発明が解決しようとする課題】
【０００４】
ところで、上記の場合、仮に、電線カバーがハウジングに取り付けられた状態で、電線カバーの外部に引き出された電線が大きく振動すると、その電線の振動力が電線カバーに伝わり、電線カバーがハウジングに対して軸まわりにねじれるように作用することがあった。その結果、カバーロック部とハウジングロック部との係止状態が解除され、電線カバーがハウジングから外れるおそれがあった。
本発明は上記のような事情に基づいて完成されたものであって、ハウジングから電線カバーが外れるのを防止することを目的とする。
【課題を解決するための手段】
【０００５】
本発明は、電線が引き出される電線引出面及びその電線引出面と交差して配される外周面を有するハウジングと、前記ハウジングに取り付けられ、前記電線を内側に配しつつ前記ハウジングの前記電線引出面を覆うように配されるカバー本体部を有するとともに、そのカバー本体部に一体に連なり、前記ハウジングの前記外周面を覆うように嵌合されてその嵌合方向の軸線まわりに回転するのを規制された状態に保たれる嵌合筒部を有する、電線カバーとを備えるところに特徴を有する。
【発明の効果】
【０００６】
上記構成によれば、仮に、電線カバーの外部に引き出された電線が振動して、その電線の振動力が電線カバーに伝わっても、電線カバーの嵌合筒部がハウジングの外周面を覆うように嵌合されてその嵌合方向の軸線まわりに回転するのを規制された状態に保たれるため、電線カバーがハウジングから外れるのが防止される。また、ハウジングの外周面が嵌合筒部によって覆われるため、ハウジングの外周面が破損される事態が防止される。
【図面の簡単な説明】
【０００７】
【図１】本発明の実施例において、ハウジングに電線カバーが取り付けられた状態をあらわす要部破断側面図である。
【図２】相手ハウジングにハウジングが嵌合された状態をあらわす要部破断側面図である。
【図３】コネクタの背面図である。
【図４】ハウジングの背面図である。
【図５】電線カバーの正面図である。
【図６】電線カバーの側面図である。
【図７】ボルトが装着されたハウジングの断面図である。
【発明を実施するための形態】
【０００８】
本発明の好ましい形態を以下に示す。
前記嵌合筒部は、前記ハウジングにおいて前記電線引出面とは反対側に位置して相手ハウジングとの嵌合時に対面する嵌合面の外周側に引っ掛け係止されるカバーロック部を有している。このような構成であれば、カバーロック部を受けるハウジング側の形状が複雑にならずに済む。
【０００９】
前記カバー本体部は、四角部分が外側へ出っ張った正面視形状をなし、前記カバーロック部は、前記カバー本体部の四角部分と対向する位置に配置されている。これにより、電線カバーがハウジングからより外れにくい構造となる。
【００１０】
前記ハウジングは、前記相手ハウジングに対してボルト締めによって嵌合される。このように、両ハウジングがボルト締めによって嵌合される場合、コネクタが大型になるとともに電線も大径となり易く、電線の振動力が電線カバーに大きく伝わる傾向にあるため、上記構成を適用して電線カバーがハウジングから外れるのを防止する構成とするメリットが大となる。
【００１１】
＜実施例＞
本発明の実施例を図１〜図７によって説明する。実施例のコネクタ１０は、ハウジング２０と、ハウジング２０に取り付けられる電線カバー６０と、ハウジング２０内に収容される端子金具９０とを備えている。図２に示すように、ハウジング２０は、相手ハウジング１００と嵌合可能とされる。なお、以下の説明において、前後方向については、ハウジング２０が相手ハウジング１００との嵌合開始時に相手ハウジング１００と向き合う面側（後述する嵌合面２６側であって、図１、図２、図６及び図７の下側）を前方とし、上下方向については、各図の左側を上方とし、各図の右側を下方とする。
【００１２】
相手ハウジング１００は合成樹脂製であって、図２に示すように、全体として上下方向に細長い形態をなしている。相手ハウジング１００の内部には、図示しない相手端子金具が収容され、その中心部にはナット２００が取り付けられている。ナット２００は、相手ハウジング１００に対し、前後方向に位置決めされ、且つ前後方向の軸線まわりの回転を規制された状態に保持されている。
【００１３】
ハウジング２０は合成樹脂製であって、図７に示すように、全体として上下方向に細長い形態をなし、ブロック状のハウジング本体部２１と、ハウジング本体部２１の周囲を取り囲む筒状のフード部２２とを有している。
【００１４】
図７に示すように、ハウジング本体部２１とフード部２２との間は、相手ハウジング１００が前方から進入する嵌合空間５０として前方に開放されている。ハウジング本体部２１の外周面にはシールリング３００が嵌着されており、両ハウジング２０、１００の嵌合時には、ハウジング本体部２１とフード部２２との間にシールリング３００が弾性的に挟み込まれ、これによって両ハウジング２０、１００間が液密にシールされるようになっている。図４に示すように、フード部２２の上下両面と前後両面とには、シールリング３００を抜け止めするための係止構造を形成するための突部２３が設けられている。また、フード部２２の前端には、四角部分と対応する位置に、後述するカバーロック部７２と係止可能なハウジングロック部２５が設けられている。ハウジングロック部２５は、フード部２２の前端における他の部分と面一で連続して配置され、特有の形状を有するわけではない。
【００１５】
図１及び図７に示すように、ハウジング２０の前面は、嵌合時に相手ハウジング１００と対面する嵌合面２６として構成され、嵌合面２６とは反対側に位置する、ハウジング２０の後面は、電線５００が引き出される電線引出面２７として構成される。そして、ハウジング２０は、嵌合面２６と電線引出面２７との間にてこれら嵌合面２６と電線引出面２７の面方向と交差する後方を向いた外周面２８を有している。図７に示すように、ハウジング２０の内部には、端子金具９０を挿入可能な複数のキャビティ２９が設けられている。各キャビティ２９は、前後方向に延出してその前後両端がそれぞれ嵌合面２６及び電線引出面２７に開口する形態とされている。ハウジング２０の各キャビティ２９内に端子金具９０が挿入されると、各端子金具９０に接続された電線５００が電線引出面２７から外部へ引き出される。
【００１６】
また、図７に示すように、ハウジング２０には、前後方向に延出して電線引出面２７及び嵌合面２６のそれぞれの中央部に開口する貫通孔３１が設けられている。ハウジング２０の電線引出面２７の中央部には、貫通孔３１を包囲する筒状の台座部３２が後方に突出して設けられている。貫通孔３１には、ボルト４００の軸部４１０が嵌合状態で取り付けられている。ボルト４００は、前後方向に細長く延出する軸部４１０の後端から背面視六角形の頭部４２０が径方向に張り出し形成されている。ハウジング２０の貫通孔３１内にボルト４００が取り付けられると、頭部４２０が台座部３２の後端に支持された状態でハウジング２０の電線引出面２７よりも後方に突出して配置され、軸部４１０がハウジング２０の嵌合面２６よりも前方に突出して配置される。
【００１７】
軸部４１０の外周面には、ナット２００と螺合可能なねじが切られている。両ハウジング２０、１００の嵌合時には、まず両ハウジング２０、１００が浅く嵌合された状態で、ボルト４００の軸部４１０がナット２００に挿入される。次いで、ボルト４００の頭部４２０に図示しない工具が嵌合されて、工具が回転させられる。すると、ボルト４００の軸部４１０がナット２００にねじ込まれる。これにより、両ハウジング２０、１００が互いに接近して、図２に示す正規嵌合状態に至らしめられる。
【００１８】
電線カバー６０は同じく合成樹脂製であって、全体としてキャップ状の形態とされ、ハウジング２０に後方から取り付けられる。具体的には電線カバー６０は、図３及び図５に示すように、背面又は正面から見た場合に四角部分が外側へ出っ張るような略矩形の外周縁を有するカバー本体部６１と、カバー本体部６１に一体に連なって下方に突出するガイド部６２と、図５及び図６に示すように、カバー本体部６１に一体に連なって前方に突出する筒状の嵌合筒部６３とを備えている。
【００１９】
図１〜図３に示すように、カバー本体部６１は、電線カバー６０がハウジング２０に取り付けられた状態で、ハウジング２０の電線引出面２７の外周縁から後方（電線引出面２７から遠ざかる方向）へ延出する外周壁部６４と、外周壁部６４の後端に略環状に連なる後壁部６５と、後壁部６５の内周縁から前方（電線引出面２７に近づく方向）へ延出する円筒状の筒状部６６とからなる。外周壁部６４の下面側には、周方向の一部を切欠させた形態をなす導出口６７が開口して形成されている。ガイド部６２は、導出口６７の開口後縁部から下方へ延出する断面弧状の突片とされている。図２に示すように、ハウジング２０の電線引出面２７から引き出された各電線５００は、電線カバー６０内で転向させられたあと導出口６７からガイド部６２に沿いつつ電線カバー６０の外部へ導出させられる。このとき、各電線５００は、ガイド部６２にテープ巻きされて固定されるようになっている。
【００２０】
筒状部６６は、カバー本体部６１の外面の中央部を凹ませた形態であり、その凹んだ空間は、ボルト締結のための工具が挿入可能な作業空間６８になっている。電線カバー６０がハウジング２０に取り付けられると、筒状部６６の前端開口縁がハウジング２０の台座部３２の周りを取り囲むように配置される。
【００２１】
さて、嵌合筒部６３は、外周壁部６４の前端のうち導出口６７と対応する位置を除く部分から前方へ突出する形態とされ、図３及び図５に示すように、その上面と前後両面とに、外側へ膨出する膨出部６９を有している。図１及び図２に示すように、膨出部６９の内面は、外周壁部６４の前端に段付き状に連なって配置されている。嵌合筒部６３は、電線カバー６０がハウジング２０に取り付けられた状態で、フード部２２の外周面２８のうち、導出口６７と対応する部位を除く部分のほぼ全体を覆うように嵌合させられる。この場合に、膨出部６９は、フード部２２の突部２３を包囲して配置される。
【００２２】
図５及び図６に示すように、嵌合筒部６３には、四角部分のうちガイド部６２から離れた上側二角部分を挟んだ周方向両側に、前後方向に延出して前端に開口するスリット７１が設けられている。また、嵌合筒部６３の四角部分のそれぞれには、周方向で対向するスリット７１間とそれらスリット７１間と対向する下側二角部分とに、カバーロック部７２が撓み可能に設けられている。カバーロック部７２は、嵌合筒部６３の四角部分に沿うよう弧状に湾曲する断面形状を有している。また、カバーロック部７２の前端は、嵌合筒部６３の前端におけるその他の部分と同じ前後位置に配置されている。そして、図５に示すように、カバーロック部７２の前端部は、爪状のロック突起７３が内側へ突出して設けられている。電線カバー６０がハウジング２０に取り付けられた状態で、カバーロック部７２のロック突起７３がフード部２２の前端におけるハウジングロック部２５に弾性的に当接することにより、電線カバー６０がハウジング２０に嵌合状態に保持される。なお、図３に示すように、カバー本体部６１の後壁部６５の四角部分には、ロック突起７３を形成するための図示しない金型が通過することに起因して弧状の型抜き孔７５が開口して形成される。
【００２３】
次に、実施例のコネクタ１０の組み付けについて説明する。
組み付けに際し、ハウジング２０の各キャビティ２９内に端子金具９０が挿入される。キャビティ２９内に端子金具９０が正規挿入されると、電線引出面２７から各電線５００が引き出されて配置される。続いて、ハウジング２０に電線カバー６０が取り付けられる。取り付けの過程では、各カバーロック部７２のロック突起７３がハウジング２０の外周面２８を摺動して各カバーロック部７２が外側に撓み変形させられる。図１に示すように、電線カバー６０が正規の取り付け位置に至ると、各カバーロック部７２が弾性的に復帰し、ロック突起７３が対応するハウジングロック部２５に係止可能に配置される。このとき、各カバーロック部７２のロック突起７３は、ハウジング２０の嵌合面２６の外周側における四角部分に回り込み、ハウジング２０は、電線カバー６０によって実質的に抱持された状態となる。
【００２４】
ところで、ハウジング２０の外周面２８及び嵌合筒部６３が、いずれも四角部分に丸みのある略矩形の、円形以外の断面形状を呈することから、嵌合筒部６３は、ハウジング２０に外嵌された状態で、ハウジング２０に対して前後方向（ハウジング２０に対する嵌合筒部６３の嵌合方向）の軸まわりに回転するのが規制された状態となる。このため、電線カバー６０に対して外力等の衝撃が加わっても、電線カバー６０がハウジング２０に対して軸周りに位置ずれすることがなく、各カバーロック部７２が対応するハウジングロック部２５に係止された状態が保持される。
【００２５】
とくに、電線カバー６０のガイド部６２から外部へ引き出された各電線５００を持ってコネクタ１０が吊られる等して、各電線５００が本来の導出方向と交差する方向に大きく傾斜して振られると、電線カバー６０にガイド部６２を介してハウジング２０との相対位置を軸まわりにずれさせる過大なねじれ力が作用することになる。しかるに、実施例によれば、嵌合筒部６３がハウジング２０の外周面２８を覆うように嵌合されて前後方向の軸まわりに回転するのを規制された状態に保たれるため、電線カバー６０がねじれ力に抗してハウジング２０にしっかりと保持される。したがって、ねじれ力がカバーロック部７２にダイレクトに作用することがなく、カバーロック部７２とハウジングロック部２５との係止状態が安定して維持される。その結果、電線カバー６０がハウジング２０から不用意に外れることがない。
【００２６】
また、実施例によれば、ハウジング２０の外周面２８のうち電線カバー６０の導出口６７と対応する部位を除く部分のほぼ全体が嵌合筒部６３によって覆われるため、コネクタ１０の落下時等に、ハウジング２０の外周面２８が破損される事態が防止される。
【００２７】
さらに、各カバーロック部７２のロック突起７３がハウジング２０の嵌合面２６側の外周四角部に弾性的に引っ掛け係止されることにより、電線カバー６０がハウジング２０に抜け止め状態に安定して保持される。しかも、各カバーロック部７２を受けるハウジングロック部２５がハウジング２０の嵌合面２６の外周側にてフード部２２の前縁として構成されるに過ぎず、特有の形状を有していないため、ハウジング２０の構成を簡素化することができ、従前のハウジング２０をそのまま使用することも可能となる。
【００２８】
＜他の実施例＞
本発明は上記記述及び図面によって説明した実施例に限定されるものではなく、例えば次のような態様も本発明の技術的範囲に含まれる。
（１）カバーロック部とハウジングロック部のそれぞれの形成位置は、互いに係止し合う位置に配置されていれば、特に限定されない。例えば、ハウジングロック部が、ハウジングの電線引出面から後方に突出する形態をなし、カバーロック部が、電線カバーのカバー本体部から前方に突出する形態をなすものであってもよい。
（２）嵌合筒部にスリットが形成されず、全てのカバーロック部がスリットを介さずに弾性変形する構成であってもよい。逆に、全てのカバーロック部がスリットを介して弾性変形する構成であってもよい。
（３）ハウジングは、ボルト締めによって相手ハウジングと嵌合保持されるのではなく、例えば、通常のコネクタのように、ロックアームとロック突起とによる弾性係止によって相手ハウジングと嵌合保持される構成であってもよい。
【符号の説明】
【００２９】
１０…コネクタ
２０…ハウジング
２５…ハウジングロック部
２６…嵌合面
２７…電線引出面
２８…外周面
６０…電線カバー
６１…カバー本体部
６３…嵌合筒部
７２…カバーロック部
１００…相手ハウジング
４００…ボルト
５００…電線
【図１】
2015088273.tif 000003
【図２】
2015088273.tif 000004
【図３】
2015088273.tif 000005
【図４】
2015088273.tif 000006
【図５】
2015088273.tif 000007
【図６】
2015088273.tif 000008
【図７】
2015088273.tif 000009